(57)【要約】【課題】電子キーの電源の省エネルギー化を満たす形式で、紛失した通信端末を探索することができる電力伝送式物品探索システム及び通信端末を提供する。【解決手段】電子キー２を紛失した際、手元にある携帯電話２２やスペアキー２３から探索電波Ｓscを発信させ、この探索電波Ｓscを、自位置を周囲に知らせる報知動作の電源として電子キー２に受け取らせる。そして、この探索電波Ｓscを電源として電子キー２に報知動作を実行させ、紛失した電子キー２がどこにあるのをユーザに通知する。【選択図】図２
2010180676.tif 000002
【特許請求の範囲】
【請求項１】
操作者の手元にある携帯端末から無線信号を発信し、紛失した通信端末に当該無線信号を受信させて、この紛失端末に報知動作を実行させることにより、当該紛失端末の自位置を操作者に通知する電力伝送式物品探索システムにおいて、
前記携帯端末に設けられ、前記紛失端末の電源になり得る電力電波を前記無線信号として前記携帯端末から発信させる電力電波発信手段と、
前記紛失端末に設けられるとともに前記電力電波を受信可能で、当該電力電波を電源として前記報知動作を実行させる報知実行手段と
を備えたことを特徴とする電力伝送式物品探索システム。
【請求項２】
前記電力電波発信手段は、前記電力電波の発信の際に、前記携帯端末が持つ固有の識別コードも発信し、
前記報知実行手段は、前記電力電波とともに前記識別コードも受信し、前記識別コードの照合が成立することを条件に、前記電力電波を電源とした前記報知動作を実行することを特徴とする請求項１に記載の電力伝送式物品探索システム。
【請求項３】
前記紛失端末は、自身が持つ固有のキーコードをその通信相手に発信するキー照合通信部を持つ電子キーであることを特徴とする請求項１又は２に記載の電力伝送式物品探索システム。
【請求項４】
操作者の手元にある携帯端末から、位置探査の要求として発信された無線信号を受信すると、自位置を操作者に通知する報知動作を実行する通信端末において、
前記携帯端末から発信された自身の電源となり得る電力電波を受信すると、当該電力電波を電源として前記報知動作を実行させる報知実行手段を備えたことを特徴とする通信端末。
【発明の詳細な説明】
【技術分野】
【０００１】
本発明は、電子キー等の紛失物品の位置を探索する電力伝送式物品探索システム及び通信端末に関する。
【背景技術】
【０００２】
一般的に、車両キーとして広く使用されている電子キーは携帯して使用するものであるため、収納先や一時的に置いた場所等を忘れることが多々ある。よって、このようなキーの紛失に対応すべく、今日においては紛失キーを探索することが可能なキー探索システム（特許文献１等参照）が開発されている。特許文献１のキー探索システムは、探索する側の端末に設けられたボタンが特定操作されると、同端末から探索信号が発信され、紛失キーがこの探索信号を受信すると同信号の照合が実行され、この照合が成立すると紛失キーにおいてブザーが鳴って、ユーザに自位置を知らせるシステムである。
【先行技術文献】
【特許文献】
【０００３】
【特許文献１】特開２００８−１５０８９４号公報
【発明の概要】
【発明が解決しようとする課題】
【０００４】
ところで、この種の報知動作が実行可能な電子キーは、一般的に自身が持つ専用電源（例えば電池）によって駆動するものであるが、この種のキーが報知動作を実行するに際しては、この動作のために大きな電力を消費してしまうことから、電池の電力消費を極力低く抑えたい要望があった。特に、この種の電子キーの場合、キーの更なる小型化の要望を満たすために小型の電池を使用すると、その分だけ電子キーが持つ電源容量が小さくなるので、電子キーの電池寿命を延ばすために少しでも電源の省エネルギー化を図ることが要望されていた。
【０００５】
本発明の目的は、電子キーの電源の省エネルギー化を満たす形式で、紛失した通信端末を探索することができる電力伝送式物品探索システム及び通信端末を提供することにある。
【課題を解決するための手段】
【０００６】
前記問題点を解決するために、本発明では、操作者の手元にある携帯端末から無線信号を発信し、紛失した通信端末に当該無線信号を受信させて、この紛失端末に報知動作を実行させることにより、当該紛失端末の自位置を操作者に通知する電力伝送式物品探索システムにおいて、前記携帯端末に設けられ、前記紛失端末の電源になり得る電力電波を前記無線信号として前記携帯端末から発信させる電力電波発信手段と、前記紛失端末に設けられるとともに前記電力電波を受信可能で、当該電力電波を電源として前記報知動作を実行させる報知実行手段とを備えたことを要旨とする。
【０００７】
この構成によれば、通信端末を紛失した場合、手元にある携帯端末から電力電波を発信させ、この発信電力電波を、自位置を周囲に知らせる報知動作の電源として通信端末に受信させる。そして、探索対象である通信端末は、受信したこの電力電波を電点として、自身を探索しているユーザに自位置を通知する報知動作を実行する。このため、紛失端末に報知動作を実行させて自位置を知らせる際に、通信端末側において電力が不要となるので、通信端末の電力の省エネルギー化を図ることが可能となる。
【０００８】
本発明では、前記電力電波発信手段は、前記電力電波の発信の際に、前記携帯端末が持つ固有の識別コードも発信し、前記報知実行手段は、前記電力電波とともに前記識別コードも受信し、前記識別コードの照合が成立することを条件に、前記電力電波を電源とした前記報知動作を実行することを要旨とする。
【０００９】
この構成によれば、紛失端末に報知動作を実行させる際、携帯端末から同端末固有の識別コードを発信し、この識別コードの照合が成立することを報知動作の実行条件としたので、正規の通信端末から電力電波の発信があるという、報知動作を真に実行すべきタイミングで報知動作を実行することが可能となる。このため、例えばノイズ等で通信端末が闇雲に報知動作を実行するような状況にならずに済むので、報知動作が煩わしく感じてしまう状況を生じ難くすることが可能となる。
【００１０】
本発明では、前記紛失端末は、自身が持つ固有のキーコードをその通信相手に発信するキー照合通信部を持つ電子キーであることを要旨とする。
この構成によれば、電子キーが持つ一機能として、自位置を周囲に通知する報知動作の実行機能が搭載されていても、この機能が電力電波を電源として動くものであれば、電子キーの電力をこの機能に大きく割く必要がなくなる。よって、電池寿命の長い電子キーを提供することが可能となる。
【００１１】
本発明では、操作者の手元にある携帯端末から、位置探査の要求として発信された無線信号を受信すると、自位置を操作者に通知する報知動作を実行する通信端末において、前記携帯端末から発信された自身の電源となり得る電力電波を受信すると、当該電力電波を電源として前記報知動作を実行させる報知実行手段を備えたことを要旨とする。
【発明の効果】
【００１２】
本発明によれば、電子キーの電源の省エネルギー化を満たす形式で、紛失した通信端末を探索することができる。
【図面の簡単な説明】
【００１３】
【図１】一実施形態における電子キーシステムの概略構成を示すブロック図。
【図２】電子キー探索システムの概略構成を示すブロック図。
【図３】電子キーを探索するときに使用する携帯電話の概略構成を示すブロック図。
【図４】電子キーを探索するときに使用するスペアキーの概略構成を示すブロック図。
【図５】電子キー探索システムの動作概要を示すブロック図。
【図６】別例における電子キーの概略構成を示すブロック図。
【図７】他の別例における電力収集回路の例を示すブロック図。
【発明を実施するための形態】
【００１４】
以下、本発明を具体化した電力伝送式物品探索システム及び通信端末の一実施形態を図１〜図５に従って説明する。
図１に示すように、車両１には、車両キーとして使用される電子キー２との間で無線通信によりキー照合を行って、このキー照合の成立を条件にドアロックの施解錠やエンジン始動等が許可又は実行される電子キーシステム３が設けられている。なお、電子キー２は、車両１との間で狭域無線通信が可能であって、電子キー２が固有に持つＩＤコードを無線通信により車両１に発信して車両１にキー照合を行わせることが可能なキーのことをいう。なお、電子キー２が通信端末（紛失端末）を構成する。
【００１５】
電子キーシステム３には、電子キー２からキーコードとしてＩＤコードを発信するときに個別のキー操作が不要なキー操作フリーシステムが含まれている。このキー操作フリーシステムには、ドアロックの施解錠操作の際にキー操作を必要としない機能としてスマートエントリーシステムがある。この場合、車両１には、電子キー２とのキー照合の照合動作を管理する無線キー照合装置４と、車両ドアのドアロック施解錠を管理するドアロック装置５とが設けられ、これらは車内の一ネットワーク網である車内バス６を介して相互接続されている。また、無線キー照合装置４には、キー照合の照合動作を実行する照合ＥＣＵ７が設けられている。照合ＥＣＵ７には、照合ＥＣＵ７には、車外にＬＦ帯（Low Frequency：約134KHz）の信号を発信する車外ＬＦ発信機８と、車内に同じＬＦ帯の信号を発信する車内ＬＦ発信機９と、ＲＦ帯（Radio Frequency：約312MHz）の信号を受信可能なＲＦ受信機１０とが接続されている。
【００１６】
また、電子キー２には、キー操作フリーシステムのキー側の部品群としてキー照合通信用回路１１が設けられている。この場合、電子キー２には、電子キー２の各種動作を統括制御する通信制御部１２が設けられている。この通信制御部１２は、ＣＰＵ（Central Processing Unit）１３やメモリ１４等の各種デバイスを持つとともに電池１５を電源として動作し、電子キー２が持つ固有のキーコードとしてＩＤコードがメモリ１４に登録されている。通信制御部１２には、ＬＦ帯の無線信号を受信可能なＬＦ受信機１６と、ＲＦ帯の無線信号を発信可能なＲＦ発信機１７とが接続されている。通信制御部１２は、ＬＦ受信機１６でどの種の無線信号を受け付けたか否かを逐次監視するとともに、ＲＦ発信機１７からの信号発信の動作を管理する。なお、キー照合通信用回路１１がキー照合通信部に相当する。
【００１７】
照合ＥＣＵ７は、車外ＬＦ発信機８からＬＦ帯のリクエスト信号Ｓrqを断続的に発信させることにより、車両周辺にリクエスト信号Ｓrqの車外通信エリアを形成して、狭域無線通信（以降、スマート通信と記す）の成立を試みる。電子キー２がこの車外通信エリアに入り込んでリクエスト信号Ｓrqを受信すると、電子キー２はリクエスト信号Ｓrqに応答する形で、自身のメモリ１４に登録されたＩＤコードを乗せたＩＤ信号ＳidをＲＦ帯の信号で返信する。照合ＥＣＵ７は、ＲＦ受信機１０でＩＤ信号Ｓidを受信してスマート通信（車外通信）が確立すると、自身のメモリ１８に登録されたＩＤコードと電子キー２のＩＤコードとを照らし合わせてＩＤ照合、いわゆるスマート照合（車外照合）を行う。照合ＥＣＵ７は、この車外照合が成立したことを確認すると、ドアロック装置５によるドアロック施解錠動作を許可又は実行する。
【００１８】
また、キー操作フリーシステムには、エンジン始動停止操作の際に実際の車両キー操作を必要とせずに単なるスイッチ操作のみでエンジン（図示略）の始動停止操作を行うことが可能な機能としてワンプッシュエンジンスタートシステムがある。この場合、車両１には、前述したスイッチ操作によるエンジン始動停止の動作を管理するエンジン装置１９が設けられている。照合ＥＣＵ７は、例えばカーテシスイッチ（図示略）により運転者の車内への乗車を確認すると、今度は車内ＬＦ発信機９からリクエスト信号Ｓrqを発信して、車内全域に車内通信エリアを形成する。照合ＥＣＵ７は、電子キー２がこの車内通信エリアに入り込んで返信してきたＩＤ信号ＳidをＲＦ受信機１０で受信してスマート通信（車内通信）が確立すると、自身に登録されたＩＤコードと電子キー２のＩＤコードとを照らし合わせてＩＤ照合、いわゆるスマート照合（車内照合）を行う。照合ＥＣＵ７は、この車内照合が成立したことを確認すると、エンジン装置１９による電源状態切り換えを許可する。
【００１９】
これにより、エンジンが停止状態の際、ブレーキペダルが踏み込まれた状態でプッシュモーメンタリ式のエンジンスイッチ（図示略）がプッシュ操作されると、停止状態であったエンジンが起動状態に切り換わる。また、エンジンが可動状態の際、セレクトレバーのレンジ位置が駐車位置（Ｐレンジ）の状態でエンジンスイッチがプッシュ操作されると、今度はエンジンが停止状態に切り換わる。更に、エンジンが停止状態の際、ブレーキペダルは踏み込み操作されずにエンジンスイッチのみがプッシュ操作されると、このプッシュ操作の度に電源状態が電源オフ→ＡＣＣオン→ＩＧオンの順に繰り返し切り換わる。
【００２０】
電子キーシステム３には、電子キー２のボタン操作によってドアロック施解錠を遠隔操作により実行可能なワイヤレスキーシステムが含まれている。この場合、電子キー２には、例えば押しボタン式の施錠ボタン２０及び解錠ボタン２１が設けられている。例えば、施錠ボタン２０が操作されると、電子キー２のＩＤコードと、車両１にドアロック施錠の動作開始を要求する機能コード（施錠要求コード）とを含んだワイヤレス信号Ｓwlが発信される。そして、このワイヤレス信号ＳwlのＩＤコードのＩＤ照合が成立すると、続く施錠要求コードによってドアロックの施錠が実行される。
【００２１】
また、この電子キー２には、図２に示すように、紛失した電子キー２を例えば携帯電話２２やスペアキー２３で探索する電子キー探索システム２４が設けられている。本例の電子キー探索システム２４は、携帯電話２２やスペアキー２３から発信される探索電波Ｓscを駆動源とて応答動作をとることにより、ユーザに自位置を通知する報知動作を実行する無線電力伝送方式をとっている。なお、探索電波Ｓscは、電子キー２の電力となり得る電力電波と、携帯電話２２やスペアキー２３の固有ＩＤであるＩＤコード（識別コード）と、電子キー２を探索している旨を電子キー２に通知する機能コード（探索要求コード）と情報群を少なくとも含む電波であって、携帯電話２２やスペアキー２３で行われる所定ボタン操作によって例えばＲＦ帯の信号で発信される。なお、携帯電話２２及びスペアキー２３が携帯端末を構成し、電子キー探索システム２４が電力伝送式物品探索システムに相当する。
【００２２】
この場合、電子キー２には、携帯電話２２やスペアキー２３から発信された探索電波Ｓscを、自身の電源として収集する電力収集回路２５が設けられている。電力収集回路２５には、ＲＦ帯の信号（探索電波Ｓsc）を受信可能な受信アンテナ２６と、交流電圧を直流電圧に変換可能な整流平滑回路２７と、探索電波Ｓscの中の各種コードの正否判定を実行するコード確認制御部２８とが設けられている。また、コード確認制御部２８には、例えばＬＥＤ等の投光部材や、或いはスピーカやブザー等の吹鳴部材等からなる負荷２９が接続されている。なお、電力収集回路２５が報知実行手段に相当する。
【００２３】
電力収集回路２５は、探索電波Ｓscを受信アンテナ２６で受信すると、探索電波Ｓscに含まれる電力電波を整流平滑回路２７で交流電圧から直流電圧に変換し、この直流電圧を電源として電子キー２を動作させる。コード確認制御部２８は、探索電波Ｓscに含まれるＩＤコード及び機能コードが正規のものか確認するものであって、例えばＡＦＥ（Analog Front End）の機能を満たす１チップのＩＣ（Integrated Circuit）から構成されている。コード確認制御部２８は、整流平滑回路２７から供給される直流電圧によって起動し、この起動状態において受信アンテナ２６から探索電波ＳscのＩＤコードを受け付けると、このＩＤコードが正しいか否かを見るＩＤ照合を行い、この照合が成立することを確認すると、同じ探索電波Ｓsc内に含まれる機能コードに従って負荷２９を駆動することで報知動作を行い、電子キー２の現在位置をユーザに通知する。
【００２４】
図３に示すように、携帯電話２２のメモリ３０には、携帯電話２２で電子キー２を探索するときに実行されるプログラムとしてキー探索アプリケーション３１が登録されている。このキー探索アプリケーション３１は、携帯電話２２に設けられた操作ボタン３２によってキー探索アプリケーション３１の実行開始操作が行われると、携帯電話２２のＣＰＵ３３によって処理が実行される。このように、携帯電話２２でキー探索動作が実行されると、携帯電話２２から探索電波Ｓscが発信される。なお、このキー探索アプリケーション３１は、携帯電話２２に予め登録されているものでもよいし、或いは携帯電話２２をネットワーク（携帯電話２２のＩＰ（Int ernet Protocol）通信網）に接続して、サーバ（図示略）から取得するものでもよい。なお、キー探索アプリケーション３１及びＣＰＵ３３が電力電波発信手段を構成する。
【００２５】
図４に示すように、スペアキー２３には、電子キー（メインキー）２と同様のキー照合通信用回路１１が設けられるとともに、同スペアキー２３から探索電波Ｓscを発信する際に操作する例えば押し操作式のキー探索ボタン３４が設けられている。また、キー照合通信用回路１１には、スペアキー２３における探索電波Ｓscの発信動作を管理する探索電波発信制御部３５が設けられている。探索電波発信制御部３５は、キー探索ボタン３４の操作を検出すると、探索電波Ｓscをキー照合通信用回路１１のＲＦ発信機１７から発信させる。なお、探索電波発信制御部３５が電力電波発信手段を構成する。
【００２６】
次に、本例の電子キー探索システム２４の動作を図５に従って説明する。
例えば、電子キー２を車内や室内で紛失した際、この電子キー２を例えば携帯電話２２で探索する場合を想定する。携帯電話２２で電子キー２を探索する場合、まずは携帯電話２２の操作ボタン３２でキー探索動作の実行操作を行って、携帯電話２２に登録されたキー探索アプリケーション３１を立ち上げる。このとき、携帯電話２２のディスプレイ３６には、図３に示すような検索実行画面３７が表示される。そして、この検索実行画面３７に表示されている開始ボタン３８を、携帯電話２２の操作ボタン３２で実行操作すると、携帯電話２２から探索電波Ｓscが発信される。
【００２７】
ところで、この探索電波Ｓscは、電力電波にＩＤコード及び機能コードのコード情報を重畳することにより発信される。即ち、探索電波Ｓscは、停止状態をとっているコード確認制御部２８を起動状態に切り換えるべく最初は電力電波が発信され、この電力電波の発信途中にコード情報が乗せられて発信される。これは、コード確認制御部２８は電力電波を得ている状態をとっているときのみしか動作できないので、コード確認制御部２８が常に起動状態をとるように、電力電波をコード確認制御部２８に常時供給するためである。また、この探索電波Ｓscは、スマート通信やワイヤレス通信とほぼ同程度の通信範囲に設定され、例えば５〜１０秒等の一定時間に亘って継続して発信される。
【００２８】
電子キー２が受信アンテナ２６で探索電波Ｓscを受信すると、整流平滑回路２７は、携帯電話２２から探索電波Ｓscとしてまずは最初に送られてくる電力電波を取り込む動作をとる。そして、整流平滑回路２７は、交流波形をとるこの電力電波を整流及び平滑することによって直流波形の駆動電圧Ｖccに変換し、この駆動電圧Ｖccをコード確認制御部２８にその電源として供給する。
【００２９】
コード確認制御部２８は、整流平滑回路２７から駆動電圧Ｖccを入力すると、この駆動電圧Ｖccによって、それまでの停止状態から起動状態に動作状態が切り換わる。そして、コード確認制御部２８は、電力電波受信の後に時間差を持って受信アンテナ２６でコード情報を受信する。このとき、コード確認制御部２８は、重畳する電力電波及びコード情報の中からコード情報のみを抜き取り、このコード情報の照合を実行する。そして、コード確認制御部２８は、受信アンテナ２６で受信するＩＤコードを自身のものと照らし合わせてＩＤ照合を行い、これらＩＤコードが一致すればＩＤ照合成立を認識する。コード確認制御部２８は、ＩＤ照合が成立することを確認すると、同じ探索電波Ｓsc内に含まれる機能コード（探索要求コード）に沿って動作することにより、電子キー２の自位置をユーザに通知する報知動作を実行する。
【００３０】
コード確認制御部２８は、ＩＤ照合が成立している状況下で探索電波Ｓscを受け付けている間、整流平滑回路２７から供給される駆動電圧Ｖccを負荷２９に送って負荷２９を動作させる。負荷２９は、整流平滑回路２７が駆動電圧Ｖccを供給している間、即ち携帯電話２２から探索電波Ｓscが発信されている間、常時動作する状態をとる。負荷２９による報知動作は、例えば負荷２９がスピーカの場合には音により実行され、負荷２９がＬＥＤの場合には光の点灯によって実行される。そして、携帯電話２２からの探索電波Ｓscの発信が停止すると、電子キー２には電力電波が供給されなくなるので、負荷２９の報知動作が停止する。
【００３１】
なお、スペアキー２３で電子キー２を探索する場合は、スペアキー２３に設けられたキー探索ボタン３４を操作する。すると、スペアキー２３から一定時間の間、探索電波ＳscがＲＦ帯の信号で発信される。そして、電子キー２は、この探索電波Ｓscを自身の受信アンテナ２６で受信すると、携帯電話２２で電子キー２を探索するときと同様の手順によって、自位置の報知動作を実行する。なお、このときに電子キー２がとる動作は、携帯電話２２で電子キー２を探索するときと同様であるので、詳細は省略する。
【００３２】
さて、本例においては、紛失した電子キー２を探索する際には、携帯電話２２やスペアキー２３から、電子キー２の電力としてＲＦ帯の探索電波Ｓscを発信させ、この探索電波Ｓscを電源として電子キー２に報知動作を実行させる。よって、紛失した電子キー２に自位置の通知として報知動作を実行させる際に、電子キー２の電池１５を使用せずに電子キー２にこの報知動作をとらせることが可能となるので、電子キー２の省エネルギー化（省電力化）を図ることが可能となる。
【００３３】
本実施形態の構成によれば、以下に記載の効果を得ることができる。
（１）電子キー２を紛失した際、手元にある携帯電話２２やスペアキー２３から探索電波Ｓscを発信させ、この探索電波Ｓscを、自位置を周囲に知らせる報知動作の電源として電子キー２に受け取らせる。そして、この探索電波Ｓscを電源として電子キー２に報知動作を実行させ、紛失した電子キー２がどこにあるのをユーザに通知する。このため、紛失した電子キー２に自位置を知らせる報知動作を実行させる際に、電子キー２の電池１５を使用せずに済むので、電子キー２の省エネルギー化を図ることができる。
【００３４】
（２）携帯電話２２やスペアキー２３から探索電波Ｓscを発信して電子キー２に報知動作を実行させる際、電力電波の他にＩＤコードも発信させ、このＩＤコードの照合が成立することを条件として、電子キー２に報知動作を実行させる。このため、例えばノイズ等で電子キー２が報知動作を実行してしまう状況が生じ難くなるので、電子キー２の報知動作の実行精度を高いものとすることができる。
【００３５】
（３）スマート通信は、車両１から発信されるリクエスト信号Ｓrqの有無を探査するとともに、このリクエスト信号Ｓrqを受け付けて、これに応答する形でＩＤ信号Ｓidを返信するというように、通信に非常に電力を要する現状がある。よって、本例のようにこの種の電子キー２において報知動作に要する電力を節約できれば、その分だけ電池１５の電力をスマート通信に回すことが可能となるので、電子キー２の長寿命化の点において非常に効果が高いといえる。
【００３６】
（４）携帯電話２２やスペアキー２３から探索電波Ｓscを発信させる際、電力電波を常時発信させるので、報知動作の電源となる電力電波を電子キー２に常時供給することができる。よって、電子キー２が途中で停止してしまう状況を生じ難くすることができ、電子キー２の動作性能を高いものとすることができる。
【００３７】
（５）キー照合通信用回路１１と電力収集回路２５とを各々独立した部品（ユニット）として構成したので、電子キー２に本例の報知動作の機能を組み込む場合、元々の電子キー２に電力収集回路２５を後付けするだけで済む。
【００３８】
（６）受信した電力電波を整流及び平滑する整流平滑回路２７を電子キー２に設けたので、無線受信した電力電波を、電圧変動の少ない安定した電源として電子キー２に供給することができる。
【００３９】
なお、実施形態はこれまでに述べた構成に限らず、以下の態様に変更してもよい。
・  電子キー２における自位置の通知する報知機能は、携帯電話２２（スペアキー２３）と電子キー２との間のＩＤ照合成立を条件とすることに限定されない。例えば、図６に示すように、電子キー２からコード確認制御部２８を省略して、電力電波を受信することのみを条件として報知動作を実行するものでもよい。
【００４０】
・  負荷２９は、必ずしもコード確認制御部２８を介して電力を得ることに限らず、例えば図７に示すように、整流平滑回路２７から電力を直接得る構造のものでもよい。
・  電力収集回路２５のアンテナは、必ずしもこれ専用のものである必要はなく、例えばキー照合通信用回路１１のアンテナと共用されてもよい。
【００４１】
・  携帯電話２２において探索電波Ｓscを発信する機能は、必ずしもアプリケーション３１であることに限定されず、例えば専用の電気回路群からなるハードウェア回路からなるものでもよい。
【００４２】
・  電子キー２の電池１５として、例えば受信した電力電波を蓄電することができる二次電池を用いてもよい。
・  電子キー２は、必ずしも電池１５を持つものに限らず、全機能が電力電波によって可動できるものであれば、電池１５を省略してもよい。
【００４３】
・  探索電波Ｓscの電力電波は、必ずしも常時発信されることに限定されない。例えば、電子キー２に二次電池等の電力を蓄電できる部品があれば、例えば探索電波Ｓscの電力電波と識別コードとを時分割で発信してもよい。
【００４４】
・  負荷２９による報知動作は、無線電力を受け付けている間、常時実行されることに限らず、例えば所定時間の間において実行するというように、動作を時間管理してもよい。
【００４５】
・  電子キーシステム３の相互通信は、往路と復路とで周波数が異なることに限定されず、両方とも同じ周波数で無線通信を行うものでもよい。また、電子キーシステム３の無線通信で使用する周波数は、必ずしもＬＦやＲＦに限定されるものではなく、これら以外の周波数の信号を採用可能である。
【００４６】
・  報知実行手段は、携帯電話２２やスペアキー２３から発信される探索電波Ｓscを受信できればよいので、本例においては少なくとも受信アンテナ２６を含めばよいものとする。
【００４７】
・  探索電波Ｓscの発信条件は、キー部品（スペアキー２３）を用いた場合、専用のキー探索ボタン３４の操作に限定されない。例えば、スペアキー２３に設けられた施錠ボタン（又は解錠ボタン）の長押しを、探索電波Ｓscの発信条件としてもよい。
【００４８】
・  識別コードは、電子キーシステム３で使用するＩＤコードを共用することに限らず、電子キー探索システム２４専用のコード列を使用してもよい。
・  携帯端末は、必ずしも携帯電話２２やスペアキー２３に限らず、無線通信可能な端末であれば、どのようなものを採用してもよい。
【００４９】
・  探索対象とする物品は、必ずしも電子キー２に限らず、これも無線通信可能な端末であれば、どのようなものを採用してもよい。
・  電子キーシステム３は、実施形態で述べたキー操作フリーシステムやワイヤレスキーシステムに限定されず、例えばＩＤタグとしてトランスポンダを使用したイモビライザーシステムでもよい。
【００５０】
・  本例の報知機能は、電子キーシステム３に採用することに限らず、２者間で無線通信を行うシステムであれば、その搭載対象は特に限定されない。
次に、上記実施形態及び別例から把握できる技術的思想について、それらの効果とともに以下に追記する。
【００５１】
（１）請求項１〜３において、前記電力電波発信手段は、前記電力電波の発信の際に、前記携帯端末が持つ固有の識別コードを、前記電力電波に重畳して発信するとともに、前記報知実行手段は、前記電力電波を受信した際、これに重畳されている識別コードを抜き出して前記識別コードの照合を実行する。この構成によれば、電力電波を紛失端末に常時供給することが可能となるので、紛失端末を常時起動させておくことが可能となる。
【００５２】
（２）請求項１〜３、前記技術的思想（１）において、前記通信端末は、自身が持つ固有のキーコードをその通信相手に発信するキー照合通信部を持つ電子キーであって、前記報知実行手段は、前記キー照合通信部と別の独立した部品群によって構成されている。この構成によれば、報知実行手段を構成する部品ユニットを単に組み込むだけという簡単な作業によって、通信端末に報知実行手段を搭載することが可能となる。
【００５３】
（３）請求項１〜３、前記技術的思想（１），（２）において、前記通信端末は、前記電力電波を所定の直流電圧に変換する整流平滑回路を備えた。この構成によれば、変動の少ない安定した電圧を電源として報知実行手段に供給することが可能となる。
【００５４】
（４）操作者の手元にある携帯端末から無線信号を発信し、紛失した通信端末に当該無線信号を受信させて、この紛失端末に報知動作を実行させることにより、当該紛失端末の自位置を操作者に通知する電力伝送式物品探索方法において、前記紛失端末の電源になり得る電力電波を前記無線信号として前記携帯端末から発信させ、当該電力電波を前記紛失端末に受信させるとともに、当該電力電波を電源として前記紛失端末において前記報知動作を実行させることを特徴とする電力伝送式物品探索方法。
【符号の説明】
【００５５】
２…通信端末（紛失端末）としての電子キー、１１…キー照合通信部としてのキー照合通信用回路、２２…携帯端末を構成する携帯電話、２３…携帯端末を構成するスペアキー、２４…電力伝送式物品探索システムとしての電子キー探索システム、２５…報知実行手段としての電力収集回路、３１…電力電波発信手段を構成するキー探索アプリケーション、３３…電力電波発信手段を構成するＣＰＵ、３５…電力電波発信手段を構成する探索電波発信制御部。
【図１】
2010180676.tif 000003
【図２】
2010180676.tif 000004
【図３】
2010180676.tif 000005
【図４】
2010180676.tif 000006
【図５】
2010180676.tif 000007
【図６】
2010180676.tif 000008
【図７】
2010180676.tif 000009